(57)【要約】【課題】塵埃やオイルミストを効率的に除去して作業環境の向上を図ると共に、設備コスト、メンテナンスコストの削減が得られる空気清浄装置を提供する。【解決手段】底部１１及び全面に亘って吸入口２１ａが形成された外周面２１を有する本体部１０及び、本体部１０の上方に連続配置されて本体部１０内と外部を連通する排出口４３を備えるとともにモータ４７によって回転するファン４８を収容するファンケース４０及び、本体部１０内に保持されたロールフィルタＦから引き出されて外周面２１の外面を全周に覆うフィルタＦａを備える。モータ４７によるファン４８の回転により生成される空気流により、フィルタＦａを通過して濾過される外気を外周面２１の全面に亘って形成され吸入口２１ａから本体部１０内に吸引しかつファンケース４０の排出口２１から外部に放出する。【選択図】図１
2010234244.tif 000002
【特許請求の範囲】
【請求項１】
底部及び該底部の外周縁に連続して形成されて筒状で全周に亘って多数の吸入孔が開口する外周面を備えた上方が開放される本体部と、
該本体部の上方に連続配置されて本体部内と外部を連通する排出口を備えるとともにモータによって回転するファンを収容するファンケースと、
前記外周面の外面を全周に亘って被装するシート状のフィルタと、を備え
前記モータによるファンの回転により生成される気流により、前記フィルタを通過して濾過された外気を外周面の吸入孔から本体部内に吸引しかつ前記ファンケースの排出口から外部に放出することを特徴とする空気清浄装置。
【請求項２】
前記フィルタは、
シート状の濾紙を巻回してロール状に形成されたロールフィルタであって、
前記本体部内には、
前記ロールフィルタを保持するロールフィルタ保持部を備え、
前記外周面は、
該外周面の一部が開放形成された開口部と、
該開口部に上下方向に連続する間隙を形成して開閉する開閉パネルと、を備え、
前記ロールフィルタ保持部に前記ロールフィルタが保持されて前記本体部の内部に設置されるとともに前記フィルタの端部が前記間隙から引き出されて前記外周面に被装されることを特徴とする請求項１に記載の空気清浄装置。
【請求項３】
前記開閉パネルは、
前記外周面に巻回された前記フィルタの端部を保持するフィルタ端部保持部が設けられたことを特徴とする請求項２に記載の空気清浄装置。
【請求項４】
前記本体部の外周面は、
底部の外周縁に沿って配置される平面状の第１側面、後面、第２側面及び開閉パネルからなる前面を備えた多角形状に形成されたことを特徴とする請求項１〜３のいずれか１項に記載の空気清浄装置。
【請求項５】
前記複数の平面状の第１側面、後面、第２側面及び開閉パネルからなる前面の連続部の外方側において前記底部と前記ファンケースとの間で前記本体部の上下方向に延在するフィルタガイド部材を備えることを特徴とする請求項４に記載の空気清浄装置。
【発明の詳細な説明】
【技術分野】
【０００１】
本発明は、空気清浄装置、特に、フィルタに塵埃やオイルミストを吸着させる空気清浄装置に関する。
【背景技術】
【０００２】
例えば、機械部品等を切削や研削等の機械加工する工場内では、これらの部品等を機械加工する際に、大量の塵埃や切粉が発生すると共に切削油等によるオイルミストが発生して作業環境が悪化することが懸念される。また、塵埃や切粉に付着したオイルミストが工場内の機器へ徐々に付着堆積すると、機器の誤作動や腐蝕を誘発したり、床や壁に付着したオイルミスト等により作業員が転倒したり、オイルミストに引火して火災が誘発される等の問題が生じることが考えられる。このような事態を有効的に回避すべく、塵埃やオイルミストが浮遊、即ち混在する空気を清浄するための空気清浄装置が種々提案されている。
【０００３】
例えば、特許文献１においてターボブロアの誘引作用を利用した空気清浄装置が提案されている。この特許文献１で開示される空気清浄装置は、上方が開放した筒状の本体を有するとともに円筒状のフィルタを収容する本体部、及びこの本体部の上方を閉塞すると共に吸気用モータ及びターボブロアが収容配設されるファンケースを備え、ファンケースを蓋体によって被覆して構成される。本体部の周壁には、吸込口が円筒状に突出形成され、ファンケースの側壁に排出口が形成される。ターボブロアの駆動によって、この吸込口から外気が吸入されて塵埃等の異物をフィルタに吸着して清浄し、清浄された空気が排出口から排出される。
【０００４】
また、特許文献２に開示される空気清浄装置は、複数の筒状フィルタを有する空気清浄装置本体を備え、送風機によって空気清浄装置本体に吸塵口から外気を吸入するとともに、微粉炭が収容された微粉炭タンクから微粉炭を吸入し、塵埃と微粉炭をフィルタ内面に付着させることで作業空間の外気の清浄及び脱臭がなされる。
【先行技術文献】
【特許文献】
【０００５】
【特許文献１】特開２００７−１４５２０号公報
【特許文献２】実用新案登録第３１１８３３７号公報
【発明の概要】
【発明が解決しようとする課題】
【０００６】
上記特許文献１に記載された空気清浄装置は、吸込口から塵埃等が混在する外気を吸引して清浄化するものであり、本体部周壁に局部的に設けられた吸入口から外気を吸入するのみに過ぎないので、作業空間に大量発生するオイルミストや塵埃が浮遊する外気の清浄を行う工場内の空気清浄装置としては、効率的な清浄が実行できないことが懸念される。そのため、多数の空気清浄装置を工場内に設置する必要が生じるが、工場内は部品等の製造・加工ラインの機器が作業合理化を図って配置されているので、多数の空気清浄装置を配置する設置スペースの確保が困難である場合が多く、適切な空気清浄装置の配置ができないことがある。また、多数の空気清浄装置を設置することによる設備コストや、フィルタ交換回数の増大に伴う作業負担及びメンテナンスコストの増大が懸念される。
【０００７】
また、上記特許文献２に記載された空気清浄装置によると、複数の筒状フィルタによって清浄能力を高めているものの、特許文献１と同様に局部的に配設された吸塵口から外気を吸入して清浄するので、工場内の空気清浄装置としては効率的に清浄できないことが懸念される。従って、特許文献１と同様に、多数の空気清浄装置が必要になり設備コスト、作業負担、メンテナンスコストの増大が懸念される。
【０００８】
従って、かかる点に鑑みてなされた本発明の目的は、外気中に混在する塵埃やオイルミストを効率的に除去して作業環境の向上を図ると共に、設備コスト、メンテナンスコストの削減が得られる空気清浄装置を提供することにある。
【課題を解決するための手段】
【０００９】
上記課題を解決するための請求項１に記載の発明による空気清浄装置は、底部及び該底部の外周縁に連続して形成されて筒状で全周に亘って多数の吸入孔が開口する外周面を備えた上方が開放される本体部と、該本体部の上方に連続配置されて本体部内と外部を連通する排出口を備えるとともにモータによって回転するファンを収容するファンケースと、前記外周面の外面を全周に亘って被装するシート状のフィルタと、を備え、前記モータによるファンの回転により生成される空気流により、前記フィルタを通過して濾過される外気を外周面の吸入孔から本体部内に吸引しかつ前記ファンケースの排出口から外部に放出することを特徴とする。
【００１０】
この発明によれば、空気清浄装置の外周面の全面に亘って吸入孔が形成されるとともに、この外周面の全域にフィルタが巻装されて本体部の外周面が被覆されているので、外気吸入の方向性が制限されることなく、空気清浄装置の外周面全面から周辺の外気を吸入することが可能となる。従って、フィルタによる濾過面積が比較的大きく確保されて清浄能力を高めることで、工場内の広い作業空間でも効率よく清浄作業を実行することができる。また、清浄能力の向上に伴って空気清浄装置の設置数を少数とすることができるので、空気清浄装置の設置スペースの確保が容易になり、製造・加工ラインの機器等が合理的に配置された既存の工場内においても容易に設置することができる。
【００１１】
請求項２に記載の発明による空気清浄装置は、請求項１に記載の空気清浄装置において、前記フィルタは、シート状の濾紙を巻回してロール状に形成されたロールフィルタであって、前記本体部内には、前記ロールフィルタを保持するロールフィルタ保持部を備え、前記外周面は、該外周面の一部が開放形成された開口部と、該開口部に上下方向に連続する間隙を形成して開閉する開閉パネルと、を備え、前記ロールフィルタ保持部に前記ロールフィルタが保持されて前記本体部の内部に設置されるとともに前記フィルタの端部が前記間隙から引き出されて前記外周面に被装されることを特徴とする。
【００１２】
この発明によれば、開閉パネルを開蓋してロール状に形成されたロールフィルタをそのまま本体部の内部に設置して、開閉パネルと外周面との間に形成される間隙からフィルタが引き出されて外周面の全域にロールフィルタを巻装させて本体部の外周面を被装することが可能となる。従って、フィルタの清浄能力が低下により本体外周面に巻装されたフィルタの使用済み部分を除去し、未使用部分のフィルタを本体内部から引き出して外周面に巻装して使用することが可能になり、フィルタを空気清浄装置に設置する場合や交換する場合に、空気清浄装置に合わせてフィルタを切断加工する必要がなくなり、極めて容易にフィルタの設置及び交換をすることができる。その結果、作業負担及び作業コストが軽減される。
【００１３】
請求項３に記載の発明による空気清浄装置は、請求項２に記載の空気清浄装置において、前記開閉パネルは、前記外周面に巻装された前記フィルタの端部を保持するフィルタ端部保持部が設けられたことを特徴とする。
【００１４】
この発明によれば、フィルタを本体部の外周面に巻装させたフィルタの端部をフィルタ端部保持部で保持する簡単な構造で、フィルタを簡易に本体部の外周面に巻装保持させることができる。従って、作業負担及び作業コストが軽減される。
【００１５】
請求項４に記載の発明による空気清浄装置は、請求項１〜３のいずれか１項に記載の空気清浄装置において、前記本体部の外周面は、底部の外周縁に沿って配置される平面状の第１側面、後面、第２側面及び開閉パネルからなる前面を備えた多角形状に形成されたことを特徴とする。
【００１６】
この発明によれば、本体部の外周面を複数の平面状の第１側面、後面、第２側面及び開閉パネルを有する多角形状に形成することによって本体部の成形性が向上し、空気清浄装置の製造が容易になる。また、フィルタを外周面に巻装させる際に、第１側面、後面、第２側面及び開閉パネルが連続する連続部にフィルタを巻掛けることでフィルタの位置決めを容易に行える。更に、本体部の多角形状の隅部内に脱臭剤や消臭剤等の配置スペースを容易に確保できる。
【００１７】
請求項５に記載の発明による空気清浄装置は、請求項４に記載の空気清浄装置において、前記複数の平面状の第１側面、後面、第２側面及び開閉パネルからなる前面の連続部の外方側において前記底部と前記ファンケースとの間で前記本体部の上下方向に延在するフィルタガイド部材を備えることを特徴とする。
【００１８】
この発明によれば、フィルタの清浄能力の低下により本体部の外周面に巻装されたフィルタ使用済み部分を除去して、未使用部分のフィルタを本体部内から引き出して外周面に巻装させる場合に、フィルタの引き出しに対応してフィルタガイド部材がフィルタを誘導するので、円滑なフィルタ送りが実現されてフィルタの未使用部分を引き出すことができる。
【発明の効果】
【００１９】
この発明によると、空気清浄装置の外周面の全面に亘って吸入孔が形成されるとともに、この外周面の全域にフィルタが巻装されて本体部の外周面が被覆されているので、外気吸入の方向性に依拠せずに、空気清浄装置の外周面全面から周辺の外気を吸入することが可能となる。従って、フィルタの濾過面積が比較的大きく確保されて清浄能力を高めることで、工場内の広い作業空間でも効率よく清浄作業を実行することができる。また、清浄能力を高めて空気清浄装置の設置数を少数とすることができるので、既に製造・加工ラインの機器構成が合理的に配置された既存の工場内においても空気清浄装置の設置スペースの確保が容易になり、かつ設備コストも削減することが可能となる。
【図面の簡単な説明】
【００２０】
【図１】本発明の実施の形態に係る空気清浄装置の正面図である。
【図２】図１のＩ−Ｉ線断面図である。
【図３】図１のＩＩ−ＩＩ線断面図である。
【図４】図１のＡ矢視図である。
【発明を実施するための形態】
【００２１】
以下、図１乃至図４を参照して本発明の実施の形態について説明する。なお、本発明の一実施の形態として、機械部品等を切削、研削等の機械加工する工場内に配置されて塵埃やオイルミスト等が漂い混在する外気を清浄する空気清浄装置を例に説明する。
【００２２】
図１は、本実施の形態に係る空気清浄装置１の正面図であり、図２は図１のＩ−Ｉ線断面図であり、図３は図１のＩＩ−ＩＩ線断面図であり、図４は図１のＡ矢視図である。
【００２３】
図１乃至図３で示すように、空気清浄装置１は、底部１１、全面に亘り多数の吸入孔２１ａが開口する多孔パネルやネット状のパネル等によって構成され、底部１１の外周縁に沿って配設される第１側面２３、後面２５、第２側面２７、第１開閉パネル３２及び第２開閉パネル３４からなる前面３１を備えた、上下方向に延在する矩形筒状の外周面２１を有する上方が開放されたボックス状の本体部１０と、本体部１０の上方に連続配置されてモータ４７及びファン４８を保持するファンケース４０を備え、本体部１０内に保持されロールフィルタＦから濾紙等のフィルタＦａを引き出し本体部１０の外周面２１の全面に巻装される。
【００２４】
なお、本実施の形態において使用されるロールフィルタＦは、円筒状の芯材ＦＦｈに濾紙等によって形成されるシート状のフィルタＦａを巻回し、その端部Ｆｂを引き出すことによって繰り出される。また、説明の便宜上後述するロールフィルタ保持部５１に保持された状態におけるロールフィルタＦの上端側の側面及び下端側の側面をそれぞれ上端面Ｆｃ及び下端面Ｆｄと称する。
【００２５】
本体部１０は、矩形板状の底部１１を有し、底部１１の各下面隅部に空気清浄装置１を移動可能に保持するキャスタ２が取り付けられる。底部１１の各上面隅部１１ａ〜１１ｄ近傍にそれぞれフレーム状の第１〜第４支柱１２〜１５が立設される。図３に示すように前面側に立設される第１支柱１２及び第４支柱１５は、それぞれ隅部１１ａ、１１ｄ側が開放された断面Ｌ字状で、その対向する側縁に互いの第４支柱１５及び第１支柱１２側に折曲形成された前面フランジ１２ａ、１５ａ及び他方の側縁に沿って前面フランジ１２ａ、１５ａから離反する方向に折曲形成された取付フランジ１２ｂ、１５ｂを有する。後面側に立設される第２支柱１３及び第３支柱１４は、それぞれ隅部１１ｂ、１１ｃ側が開放された断面Ｌ字状で各側縁に沿って互いに離反する方向に折曲形成された取付フランジ１３ａ、１３ｂ、１４ａ、１４ｂが形成される。
【００２６】
図１に示すように第１支柱１２と第４支柱１５の上端及び下端間にそれぞれ矩形板状の上部仕切板１６及び下部仕切板１７が架設される。同様に図示は省略するが、第１支柱１２と第２支柱１３の上端及び下端間、第２支柱１３と第３支柱１４の上端及び下端間、第３支柱１４と第４支柱１５の上端及び下端間にそれぞれ上部仕切板及び下部仕切板が架設される。
【００２７】
次に、外周面２１に付いて図１及び図３を参照して説明する。全面に亘って多数の吸入口２１ａが形成された多孔パネル等によって形成され、第１支柱１２の前面フランジ１２ａ及び取付フランジ１２ｂに結合されて第１支柱１２の外面を覆う矩形帯状の連続部２２、この連続部２２に連続形成されて第１支柱１２と第２支柱１３との間に張設される矩形平面状の第１側面２３、第１側面２３に連続形成されて第２支柱１３の取付フランジ１３ａ及び１３ｂに結合されて第２支柱１３の外面を覆う矩形帯状の連続部２４、この連続部２４に連続形成されて第２支柱１４と第３支柱１４との間に張設される矩形平面状の後面２５、後面２５に連続形成されて第３支柱１４の取付フランジ１４ａ及び１４ｂに結合されて第３支柱１３の外面を覆う矩形帯状の連続部２６、この連続部２６に連続形成されて第３支柱１４と第４支柱１５との間に張設される矩形平面状の第２側面２７、第２側部２７に連続形成されて第４支柱１５の取付フランジ１５ｂ及び前面フランジ１５ａに結合されて第４支柱１５の外面を覆う矩形帯状の連続部２８によって形成され、第１支柱１２と第４支柱１５との間に上方に上部仕切板１６を有し、下方に下部仕切板１７を有する矩形の開口部２９が開口する。
【００２８】
第１支柱１２の前面フランジ１２ａ及び第４支柱１５の前面フランジ１５ａに開口部２９を開閉する第１開閉パネル３２、３４からなる前面３１を備える。第１開閉パネル３２は上下方向に延在する基端３２ａ、開放端３２ｂ、上端３２ｃ及び下端３２ｄを有する多孔パネルやネット状のパネル等によって形成される矩形平面状で、基端３２ａがヒンジ３５を介して第１支柱１２の前面フランジ１２ａに開閉自在に支持される。この第１開閉パネル３２は閉状態において上端３２ｃ及び下端３２ｄがそれぞれ上部仕切板１６及び下部仕切板１７にオーバラップして外側から当接することで閉鎖位置が規制される。
【００２９】
第２開閉パネル３４は上下方向に延在する基端３４ａ、開放端３４ｂ、上端３４ｃ及び下端３４ｄを有する多孔パネルやネット状のパネル等によって形成され矩形平面状で、基端３４ａがヒンジ３５を介して第４支柱１５の前面フランジ１５ａに開閉自在に支持され、閉状態において上端３４ｃ及び下端３４ｄがそれぞれ上部仕切板１６及び下部仕切板１７にオーバラップして外側から当接することで閉鎖位置が規制される。この第１開閉パネル３２及び第２開閉パネル３４が閉鎖位置において対向する第１開閉パネル３２の開放端３２ｂと第２開閉パネル３４の開放端３４ｂとの間に上下方向に連続する隙間Ｓが形成される。
【００３０】
また、第２開閉パネル３４の開放端３４ｂ近傍にロールフィルタＦの端部Ｆｂをクランプするフィルタ端部保持部３６が設けられる。フィルタ端部保持部３６は、第２開閉パネル３４に基部３７ａが取り付けられる断面コ字状のベース部材３７、ベース部材３７の端部にヒンジ３８ａを介して基端が揺動自在に支持されたＬ字状に屈曲形成されたフィルタ保持部材３８、ベース部材３７とフィルタ保持部材３８との間に張設されてフィルタ保持部材３８をベース部材３７の基部３７ａ側に押圧付勢するスプリング３９を備え、ベース部材３７の基部３７ａとフィルタ保持部材３８の屈曲部との間にフィルタＦａの端部Ｆｂをクランプする。
【００３１】
一方、底部１１の上面中央に後述するフィルタクランプ５５と協働してロールフィルタ保持部５１を構成する円柱状でロールフィルタＦの芯材Ｆｈに嵌入可能な第１フィルタ支持軸５３及びロールフィルタＦの端面Ｆｄに当接してロールフィルタＦを保持するフィルタストッパ５４からなるフィルタ支持部５２が設けられる。また、底部１１上に図示しないドレン用受皿が載置される。
【００３２】
次に図２及び図４を参照してファンケース４０について説明する。ファンケース４０は、本体部１０の開放された上端を覆い本体部１０の上部に取り付けられる矩形板状で中央部が円形に開口されたファンケース基部４１、及びファンケース基部４１の上面に配設されてファンケース基部４１の開口とほぼ同径の内径を有し内周面によって排出口４３を形成する中央部が縮径された円筒状のファンガイド部４２を有する。
【００３３】
更に、中央部にモータ４７を嵌合保持する開口部を備えた矩形のモータ保持パネル４５及びモータ保持パネル４５の各隅部から放射状に延在して下方に湾曲する支持アーム４６が延設されたファン支持部材４４を備える。このファン支持部材４４の各支持アーム４６の各基端４６ａをファンケース基部４１の各隅部に取り付けることによって、モータ４７がファンガイド部４２と同軸芯上でかつファンガイド部４２の上方に保持され、モータ４７に取り付けられたファン４８がファンガイド部４２内に保持される。
【００３４】
更に、ファンケース基部４１の下面に上記底部１１に設けられたフィルタ支持部５２と共にロールフィルタ保持部５１を構成するフィルタクランプ５５が設けられる。フィルタクランプ５５は、ファンケース基部４１の本体部１０の後面２５に近接した部位に支持されて本体部１０内に突出するブラケット５６の下端に基端が軸ピン５６ａによって前面３１方向に延在して上下方向に揺動自在に支持され先端に把持部５７ｂが形成された第１アーム５７ａ及びこの第１アーム５７ａの中央部に突設された第２アーム５７ｃを有するＴ字状のロール支持アーム５７を備え、第２アーム５７ｃの先端にロールフィルタＦの上端面Ｆｃに当接するフィルタ支持パネル５８ａを備えた芯材Ｆｈに挿入可能な第２フィルタ支持軸５８が形成される。この第１アーム５７を前面３１側にほぼ水平に延在保持した状態で第２アーム５７ｃに形成した第２フィルタ支持軸５８が底部１１に設けたフィルタ支持部５２の第１フィルタ支持軸５３と同軸上で対向する。
【００３５】
本体部１０の底部１１の隅部１１ａとファンケース基部４１の隅部４１ａとの間に連続部２２の外面に沿うと共に前面３１及び第１側面２３より若干外方に突出して上下方向に延在するフィルタガイド部材となる第１フィルタ送りローラ５９ａが架設される。同様に、底部１１の隅部１１ｂとファンケース基部４１の隅部４１ｂとの間に連続部２４の外面に沿うと共に第１側面２３及び後面２５より若干外方に突出して上下方向に延在する第２フィルタ送りローラ５９ｂが架設される。底部１１の隅部１１ｃとファンケース基部４１の隅部４１ｃとの間に連続部２６の外面に沿うと共に後面２５及び第２側面２７より若干外方に突出して上下方向に延在する第３フィルタ送りローラ５９ｃが架設される。底部１１の隅部１１ｄとファンケース基部４１の隅部４１ｄとの間に連続部２８の外面に沿うと共に前面３１及び第２側面２７より若干外方に突出して上下方向に延在する第４フィルタ送りローラ５９ｄが架設される。また、図３において仮想線で示すように、本体部１０の内の隅部に配設される第１〜第４支柱１２〜１５に沿って上下に延在するメッシュ等によって形成され容器６０を配置し、この容器６０内に活性炭等の脱臭剤を収納する。この隅部には、本体部１０内に保持されるロールフィルタＦやロールフィルタＦから引き出されたフィルタＦａに影響を与えることなく容易に容器６０を配設できる。
【００３６】
このように構成された空気清浄装置１において、本体部１０の開口部２９を閉鎖する第１開閉パネル３２及び第２開閉パネル３４をそれぞれ開放すると共に、フィルタクランプ５５のロール支持アーム５７の把持部５７ｂを持ち上げて第１フィルタ支持軸５３から第２フィルタ支持軸５８を離反する。
【００３７】
この第１フィルタ支持軸５３から第２フィルタ支持軸５８が離反した状態で、開口部２９から本体部１０内にロールフィルタＦを搬入してロールフィルタＦの芯材Ｆｈの下端を第１フィルタ支持軸５３に嵌合し、かつ下端面Ｆｄをフィルタストッパ５４に当接させてロールフィルタＦをフィルタ支持部５２に保持する。続いて、ロール支持アーム５７を下方に揺動して芯材Ｆｈの上端に第２フィルタ支持軸５８を挿入してフィルタ支持パネル５８ａを上端面Ｆｃに当接させる。
【００３８】
これにより、ロールフィルタＦは芯材Ｆｈの下端及び上端に挿入された第１フィルタ支持軸５３及び第２フィルタ支持軸５８によって回転自在に支持され、かつロール支持アーム５７の自重によってフィルタストッパ５４とフィルタ支持パネル５８ａによってロールフィルタＦの下端面Ｆｄ及び上端面Ｆｃの両端面が上下から保持されて安定した状態でロールフィルタ保持部５１によって支持される。
【００３９】
しかる後、第１開閉パネル３２を閉じると共に、ロールフィルタ保持部５１に回転自在に保持されたロールフィルタＦからフィルタＦａの端部Ｆｂを第１開閉パネル３２の開放端３２ｂを迂回して引き出し、第２開閉パネル３４を閉じる。そして、閉じられた第１開閉パネル３２と第２開閉パネル３４の対向する開放端３２ｂと３４ｂとの間の隙間Ｓから突出するフィルタＦａの端部Ｆｂを引き出し、引き出されたフィルタＦａを第１開閉パネル３２の外面に沿って張装し、更に第１フィルタ送りローラ５９ａに巻掛けて第１側面２３の外面に沿って張装し、同様に第２フィルタ送りローラ５９ｂに巻掛けて後面２５の外面に沿って張装し、更に第３フィルタ送りローラ５９ｃに巻掛けて第２側面２７の外面にて張装して更に第４フィルタ送りローラ５９ｄに巻掛けて第２開閉パネル３４の外面に沿って張装する。このとき、フィルタＦａの引き出しに追従して第１フィルタ送りローラ５９ａ、第２フィルタ送りローラ５９ｂ、第３フィルタ送りローラ５９ｃ、第４フィルタ送りローラ５９ｄが回転してフィルタＦａを誘導することで円滑かつ容易に外周面２１に巻装できる。
【００４０】
このようにして本体部１０の外周面２１を全周面に亘って覆い被装したフィルタＦａの端部Ｆｂを第２開閉パネル３４の開放端３４ｂ近傍に配設されたフィルタ端部保持部３６のベース部材３７の基部３７ａとフィルタ保持部材３８とによってクランプ保持する。
【００４１】
このようにロールフィルタＦを装着した空気清浄装置１を作動させる、即ちモータ４７を駆動させてファン４８を回転させることで、外気が本体部１０の外周面２１を形成する第１側面２３、後面２５、第２側面２７及び第１開閉パネル３２、第２開閉パネル３４を覆うフィルタＦａを通過し、かつこれら第１側面２３、後面２５、第２側面２７及び第１開閉パネル３２、第２開閉パネル３４の全面に亘り開口する多数の吸入口２１ａから本体部１０内に吸入され、本体部１０内からファンケース４０の排出口４３を経て外部に放出される空気流が生成される。
【００４２】
この第１側面２３、後面２５、第２側面２７及び第１開閉パネル３２、第２開閉パネル３４の外周面２１の全面に亘り形成され吸入口２１ａから外気が本体部１０内に吸入され、外周面２１の全面に亘り張設されたフィルタＦａによって外気に混在する微細な塵埃やオイルミストが吸着除去されて本体部１０内に吸入され、更に活性炭等の消臭剤により脱臭されて清浄化された空気が排出口４３から放出される。
【００４３】
ここで、本体部１０の第１側面２３、後面２５、第２側面２７及び第１開閉パネル３２、第２開閉パネル３４の外周面２１の全面に亘り形成され吸入口２１ａから外気が本体部１０内に吸入され、外周面２１の全面に亘り張設されたフィルタＦａによって外気に混在する微細な塵埃やオイルミストが吸着除去することから、空気清浄装置１の全方向から周囲の外気がフィルタＦａを介して本体部１０内に吸入され、フィルタＦａによる濾過面積が大きく確保され、塵埃やオイルミストの除去能力の向上が得られる。
【００４４】
また、フィルタＦａによって吸着除去されずに外気と共に本体部１０内に導入された塵埃やオイルミストは、本体部１０内のフィルタＦａに吸着除去されると共に、本体部１０内で空気流から分離して底部１１上に載置されたドレン用受皿に落下して受け止められる。
【００４５】
空気清浄に伴って本体部１０の外周面２１に巻装されたフィルタＦａに塵埃やオイルミストが付着してフィルタＦａによる清浄能力が低下した場合は、フィルタＦａの端部Ｆｂを保持するフィルタ端部保持部３６を開放してクランプを解除すると共に、第１開閉パネル３２と第２開閉パネル３４の対向する開放端３２ｂと３４ｂとの間の隙間ＳからフィルタＦａを若干引き出すと共に、隙間Ｓから突出しているフィルタＦａの塵埃やオイルミストが付着している使用済み部分を切除して回収する。
【００４６】
しかる後、使用済み部分の切除により形成された隙間Ｓから若干突出しているフィルタＦａの端部Ｆｂを引き出すことで、本体部１０の内部に収容されたロールフィルタＦから塵埃やオイルミスト等が付着していないフィルタＦａの未使用部分が引き出される。このようにフィルタＦａを引き出しつつ前記同様にフィルタＦａを第１開閉パネル３２の外面に沿って張装し、更に第１フィルタ送りローラ５９ａに巻掛けて第１側面２３の外面に沿って張装し、同様に第２フィルタ送りローラ５９ｂに巻掛けて後面２５の外面に沿って張装し、更に第３フィルタ送りローラ５９ｃに巻掛けて第２側面２７の外面にて張装して更に第４フィルタ送りローラ５９ｄに巻掛けて第２開閉パネル３４の外面に沿って張装する。このとき、フィルタＦａの引き出しに追従して第１フィルタ送りローラ５９ａ、第２フィルタ送りローラ５９ｂ、第３フィルタ送りローラ５９ｃ、第４フィルタ送りローラ５９ｄが回転して引き出され、かつ巻装するフィルタＦａを誘導することで円滑かつ容易に外周面２１に巻装できる。そして巻装されたフィルタＦａの端部Ｆｂを第２開閉パネル３４に配設されたフィルタ端部保持部３６のベース部材３７の基部３７ａとフィルタ保持部材３８とによってクランプ保持する。
【００４７】
本体部１０に収容されるロールフィルタＦを全て引き出した場合、すなわち、残余が芯材Ｆｈのみとなった場合は、第１開閉パネル３２及び第２開閉パネル３４を開放して芯材Ｆｈを取り出した上で、上述したロールフィルタＦの設置手順に従って新たなロールフィルタＦを設置する。
【００４８】
従って、上記のように構成された本実施の形態における空気清浄装置１によると、本体部１０の外周面２１を形成する第１側面２３、後面２５、第２側面２７、第１開閉パネル３２及び第２開閉パネル３４が、それぞれの全面に亘って吸入孔２１ａを有し、この外周面２１の全面に亘ってロールフィルタＦから引き出されたフィルタＦａが巻装されて被装されているので、外気吸入の方向性が限定されることなく空気清浄装置１の全方位から外気を吸入することが可能となる。即ち外周面２１の全面に亘るフィルタＦａによる大きな濾過面積を確保して塵埃やオイルミストの清浄能力が高められ、工場内の広い作業空間でも効率よく清浄作業を実行することができる。従って、空気清浄装置１の設置数を少数とすることができるので、製造・加工ライン等の機器が合理化的に配置された工場内においても過大な設置スペースを要することなく設置することができる。また、空気清浄装置１の設備数を抑制とすることで設備コストも大幅に削減することが可能となる。
【００４９】
また、本体部１０の外周面２１に巻装されたフィルタＦａの清浄能力の低下によりフィルタＦａの未使用部分を本体部１０に収容されたロールフィルタＦから引き出して本体部１０の外周面２１に巻装させる場合は、本体部１０内に保持されたロールフィルタＦからフィルタＦａの引き出しに追従して第１フィルタ送りローラ５９ａ、第２フィルタ送りローラ５９ｂ、第３フィルタ送りローラ５９ｃ、第４フィルタ送りローラ５９ｄの回転により円滑なフィルタＦａの繰り出し及び誘導が実現されてフィルタＦａの未使用部分を容易に引き出して巻装することができる。
【００５０】
更に、ロールフィルタＦの空気清浄装置１への設置及び交換も、第１開閉パネル３２及び第２開閉パネル３４を開蓋して本体部１０の前面の開口部２９を開放してロールフィルタＦをそのまま本体部１０に装着することが可能であり、ロールフィルタＦを空気清浄装置１の清浄部分の形状に合わせて切断加工する必要がなく、極めて容易にロールフィルタＦの設置及び交換を実行することができる。更に、本体部１０の外周面２１が平面状の第１側面２３、後面２５、第２側面２７及び第１開閉パネル３２、第２開閉パネル３４を有する断面略矩形の多角形状なのでフィルタＦａを外周面２１に巻装させる際に、ロールフィルタＦから繰り出されたフィルタＦａを外周面２１の各隅部に配設された第１フィルタ送りローラ５９ａ、第２フィルタ送りローラ５９ｂ、第３フィルタ送りローラ５９ｃ及び第４フィルタ送りローラ５９ｄに押し付けて巻掛けることでフィルタＦａの位置決めが容易に行えると共に第１側面２３、後面２５、第２側面２７及び第１開閉パネル３２、第２開閉パネル３４の外面に沿って張設することができる。
【００５１】
また、ロールフィルタＦのフィルタＦａを本体部１０の外周面２１に巻装させて端部Ｆｂをフィルタ端部保持部３６で挟持する比較的簡単な構造で、簡易にフィルタＦａを本体部１０に巻装保持できる。従って、作業負担及び作業コストが軽減される。
【００５２】
そして、本体部１０の外周面２１が矩形平面状の第１側面２３、後面２５、第２側面２７及び第１開閉パネル３２、第２開閉パネル３４を有する多角形状に形成することで本体部１０の各構成部材の成形が容易になり、空気清浄装置１を容易に製造できる。
【００５３】
なお、本発明は上記実施の形態に限定されることはなく、発明の趣旨を逸脱しない範囲で種々変更可能である。例えば、上記実施の形態では、各フィルタガイド部材をフィル送りローラにより構成したが、円筒状のパイプや棒材によって構成することもできる。また、上記実施の形態では、第１〜第４支柱１２〜１５に沿って配置された容器６０に活性炭等の脱臭剤を収納したが、ロールフィルタＦの芯材Ｆｈ内に活性炭等の脱臭剤を装填することもできる。
【００５４】
また、上記実施の形態では、本体部１０の前面３１が第１開閉パネル３２及び第２開閉パネル３４で形成した場合を例として説明したが、片開きの１枚の開閉パネルで前面３１を形成してもよい。なお、この場合も開閉パネルは、開閉パネルの開放端と本体部１０との間に上下に連続するフィルタＦａの貫通用の間隙Ｓが形成される。
【００５５】
更に、上記実施の形態では、清浄化された外気はファンケース４０に開口する排出口４３から直接外部に排出される場合を例に説明したが、ファンケース４０の上部にフードを取り付け、このフードに外気の排出方向を制御できる可変式のルーバを設けて外気の排出方向を制御してもよい。更に上記実施の形態では本体部１０の外周面２１を矩形断面形状に形成したが、他の多角形や円筒状に形成することもできる。本実施の形態では、芯材ＦｈにフィルタＦａが巻回されたロールフィルタＦを例として説明したが、フィルタＦａのみが筒状に巻回されたいわゆる芯材のないロールフィルタを使用することも可能である。
【符号の説明】
【００５６】
１        空気清浄装置
１０      本体部
１１      底部
１１ａ、１１ｂ、１１ｃ、１１ｄ  隅部
１２〜１５  第１〜第４支柱
２１      周面
２２、２４、２６、２８  連続部
２３      第１側面
２５      後面
２７      第２側面
２９      開口部
３１      前面
３２      第１開閉パネル
３２ｂ    開放端
３４      第２開閉パネル
３４ｂ    開放端
３５      ヒンジ
Ｓ        隙間
３６      フィルタ端部保持部
４０      ファンケース
４３      排出口
４７      モータ
４８      ファン
５１      ロールフィルタ保持部
５８      第２フィルタ支持軸
５９ａ〜５９ｄ  第１〜第４  フィルタ送りローラ（フィルタガイド部材）
Ｆ        ロールフィルタ
Ｆａ      フィルタ
【図１】
2010234244.tif 000003
【図２】
2010234244.tif 000004
【図３】
2010234244.tif 000005
【図４】
2010234244.tif 000006